(57)【要約】【課題】イエローシフトを白色に補正可能な技術を提供することを目的とする。【解決手段】液晶表示装置は、複数の開口が設けられたブラックマトリクスと、複数の開口にそれぞれ配設された複数色の色材とを含むカラーフィルタ基板と、カラーフィルタ基板に沿って配設され、複数のスリットを前記開口ごとに有する上部電極と、下部電極とを備える。複数色は、青色と、青色以外の２色以上の他色とを含み、駆動領域の端と、複数のスリットに対応する開口の端との間の第１距離に関して、青色の色材に対応する第１距離は、他色の色材のそれぞれに対応する第１距離と異なる。【選択図】図１
2018205587.tif 000002
【特許請求の範囲】
【請求項１】
複数の開口が設けられたブラックマトリクスと、前記複数の開口にそれぞれ配設された複数色の色材とを含むカラーフィルタ基板と、
前記カラーフィルタ基板に沿って配設された電極であって、複数のスリットを前記開口ごとに有する上部電極、及び、前記上部電極の下方に配設された下部電極を含む薄膜トランジスタ基板と、
前記カラーフィルタ基板と前記薄膜トランジスタ基板との間に配設された液晶層と
を備え、
前記複数色は、青色と、青色以外の２色以上の他色とを含み、
前記上部電極と前記下部電極との間に生ずる電界によって前記液晶層内の液晶が駆動される駆動領域の端と、当該上部電極の前記複数のスリットに対応する前記開口の端との間の第１距離に関して、前記青色の色材に対応する前記第１距離は、前記他色の色材のそれぞれに対応する前記第１距離と異なる、液晶表示装置。
【請求項２】
請求項１に記載の液晶表示装置であって、
前記複数のスリットのうちの最外側のスリットと、前記複数のスリットに対応する前記開口の端との間の第２距離に関して、前記青色の色材に対応する前記第２距離は、前記他色の色材のそれぞれに対応する前記第２距離と異なる、液晶表示装置。
【請求項３】
請求項１に記載の液晶表示装置であって、
前記下部電極の端であって前記複数のスリットの最外側のスリット側の端と、前記複数のスリットに対応する前記開口の端との間の第３距離に関して、前記青色の色材に対応する前記第３距離は、前記他色の色材のそれぞれに対応する前記第３距離と異なる、液晶表示装置。
【請求項４】
請求項１から請求項３のうちのいずれか１項に記載の液晶表示装置であって、
前記青色の色材が配設された前記開口の前記端と当該端と対向する端との間の幅は、前記他色の色材が配設された前記開口の前記端と当該端と対向する端との間の幅よりも狭い、液晶表示装置。
【請求項５】
請求項１から請求項３のうちのいずれか１項に記載の液晶表示装置であって、
前記青色の色材が配設された前記開口の前記端と当該端と対向する端との間の幅は、前記他色の色材が配設された前記開口の前記端と当該端と対向する端との間の幅よりも広い、液晶表示装置。
【請求項６】
請求項１から請求項５のうちのいずれか１項に記載の液晶表示装置であって、
前記青色の色材における前記複数のスリットの形状及び本数のうちの少なくともいずれか１つが、前記他色の色材のそれぞれにおける前記複数のスリットの形状及び本数のうちの前記少なくともいずれか１つと異なる、液晶表示装置。
【請求項７】
請求項１から請求項６のうちのいずれか１項に記載の液晶表示装置であって、
前記他色は緑色を含む、液晶表示装置。
【請求項８】
請求項１から請求項７のうちのいずれか１項に記載の液晶表示装置であって、
前記カラーフィルタ基板は、
前記薄膜トランジスタ基板側にて前記ブラックマトリクス及び前記複数の色材を覆うオーバーコート層をさらに含み、
前記オーバーコート層の厚さは２μｍ以上である、液晶表示装置。
【請求項９】
請求項８に記載の液晶表示装置であって、
前記オーバーコート層の厚さは５μｍ以下である、液晶表示装置。
【発明の詳細な説明】
【技術分野】
【０００１】
本発明は、ブラックマトリクスを有する液晶表示装置に関する。
【背景技術】
【０００２】
近年、需要が高まっている車載用途の液晶表示装置においては、高い視野角特性を有する横電界方式の液晶表示装置が広く利用されている。横電界方式では、ＴＦＴ（薄膜トランジスタ）基板に設けられた画素電極及び対向電極の間に液晶層面内に平行な電界を形成して、液晶のダイレクタ（配向）の向きを液晶層面内にほぼ平行に変化させることによって、透過光量を制御する。
【０００３】
液晶表示装置では一般的に、正面方向から斜め方向に視点を移動させた場合に表示色が変化する色づき、いわゆるカラーシフトが発生するという問題がある。横電界方式の液晶表示装置において色づきが発生する原因は、正面方向の光透過率と斜め方向の光透過率との間に光の波長に応じた差異があることに起因している。
【０００４】
特許文献１では、このような色づきを抑制するために、Ｒｅｄ／Ｇｒｅｅｎ／Ｂｌｕｅ（以下「ＲＧＢ」と記すこともある）の代表波長に応じてＲＧＢごとにセルギャップを調整する技術が提案されている。しかしながら、特許文献１の開示のように色材膜厚によってセルギャップを調整する技術を、ＲＧＢ単色表示の色仕様が厳しい車載用途の液晶表示装置に用いる場合には、厳しい仕様を満たしつつ、膜厚の制約を満たす色材の開発が必要となる。この結果、コストが上昇してしまうという問題がある。
【０００５】
一方、特許文献２では、赤色画素及び青色画素に比べて緑色画素のＢＭの開口幅を狭くするように構成することで、斜め方向から見た混色の色変化を抑制する技術が提案されている。
【先行技術文献】
【特許文献】
【０００６】
【特許文献１】特開平１０−１３３１９０号公報
【特許文献２】国際公開第２０１４／０３８４３６号
【発明の概要】
【発明が解決しようとする課題】
【０００７】
しかしながら、特許文献２には、混色の白表示を斜め方向から見た場合に黄色に色づく現象（以下「イエローシフト」と記すこともある）を抑制することに対する記述がない。また、特許文献２の技術のように、赤色画素及び青色画素に比べて緑色画素のＢＭの開口幅を狭く設定した構成では、イエローシフトがさらに悪化する懸念がある。
【０００８】
そこで、本発明は、上記のような問題点を鑑みてなされたものであり、イエローシフトを白色に補正可能な技術を提供することを目的とする。
【課題を解決するための手段】
【０００９】
本発明に係る液晶表示装置は、複数の開口が設けられたブラックマトリクスと、前記複数の開口にそれぞれ配設された複数色の色材とを含むカラーフィルタ基板と、前記カラーフィルタ基板に沿って配設された電極であって、複数のスリットを前記開口ごとに有する上部電極、及び、前記上部電極の下方に配設された下部電極を含む薄膜トランジスタ基板と、前記カラーフィルタ基板と前記薄膜トランジスタ基板との間に配設された液晶層とを備え、前記複数色は、青色と、青色以外の２色以上の他色とを含み、前記上部電極と前記下部電極との間に生ずる電界によって前記液晶層内の液晶が駆動される駆動領域の端と、当該上部電極の前記複数のスリットに対応する前記開口の端との間の第１距離に関して、前記青色の色材に対応する前記第１距離は、前記他色の色材のそれぞれに対応する前記第１距離と異なる。
【発明の効果】
【００１０】
本発明によれば、上部電極と下部電極との間に生ずる電界によって液晶層内の液晶が駆動される駆動領域の端と、当該上部電極の複数のスリットに対応する開口の端との間の第１距離に関して、青色の色材に対応する第１距離は、他色の色材のそれぞれに対応する第１距離と異なる。これにより、青色画素において斜め方向に進む光の低減を、赤色画素及び緑色画素において斜め方向に進む光の低減よりも小さくすることができ、イエローシフトを白色に補正することができる。
【図面の簡単な説明】
【００１１】
【図１】実施の形態１に係る液晶表示装置の構成を模式的に示す平面図である。
【図２】実施の形態１に係る液晶表示装置の構成を模式的に示す断面図である。
【図３】実施の形態１に係る液晶表示装置を通過する光を示す図である。
【図４】実施の形態２に係る液晶表示装置の構成を模式的に示す平面図である。
【図５】実施の形態２に係る液晶表示装置の構成を模式的に示す断面図である。
【図６】実施の形態２に係る液晶表示装置を通過する光を示す図である。
【図７】実施の形態３に係る液晶表示装置の構成を模式的に示す断面図である。
【発明を実施するための形態】
【００１２】
＜実施の形態１＞
図１は、本発明の実施の形態１に係る液晶表示装置の構成を模式的に示す平面図であり、図２は、図１のＡ−Ａ’線に沿った断面構成を模式的に示す断面図である。以下、本実施の形態１に係る液晶表示装置は、ＦＦＳ（fringe field switching）方式のアクティブマトリクス液晶表示装置であるものとして説明する。
【００１３】
図２に示すように、液晶表示装置は、ＣＦ基板（カラーフィルタ基板）１と、ＴＦＴ基板（薄膜トランジスタ基板）１１と、液晶層２１とを備える。ＣＦ基板１は、ＴＦＴ基板１１と対向するように配設される対向基板であり、ＴＦＴ基板１１は、ＣＦ基板１に沿って配設されている。液晶層２１は、ＣＦ基板１とＴＦＴ基板１１との間に配設されている。なお以下の説明では、ＣＦ基板１、ＴＦＴ基板１１及び液晶層２１からなる構成を「パネル」と記すこともある。
【００１４】
ＣＦ基板１は、透明な絶縁性基板２と、ＢＭ（ブラックマトリクス）３と、複数色の色材と、ＯＣ層（オーバーコート層）５と、偏光板６と、図示しない柱状スペーサとを含む。複数色の色材は、青色の色材４Ｂと、青色以外の２色以上の他色の色材とを含む。本実施の形態１では、２色以上の他色の色材は、緑色の色材４Ｇ、及び、赤色の色材４Ｒであるが、これらに限ったものではない。
【００１５】
ＢＭ３及び色材４Ｒ，４Ｇ，４Ｂは、絶縁性基板２のＴＦＴ基板１１側の主面上に配設されている。ＢＭ３には、複数の開口３ａが設けられており、色材４Ｒ，４Ｇ，４Ｂは、複数の開口３ａにそれぞれ、互いに重複せずに二つおきの周期で配設されている。
【００１６】
ＯＣ層５は、ＴＦＴ基板１１側にてＢＭ３及び色材４Ｒ，４Ｇ，４Ｂを覆う。図示しない柱状スペーサは、ＣＦ基板１とＴＦＴ基板１１との間に所望のスペースを設けるための部材である。偏光板６は、絶縁性基板２のＴＦＴ基板１１と逆側の主面上に配設されている。
【００１７】
ＴＦＴ基板１１は、透明な絶縁性基板１２と、図示しないＴＦＴと、図示しない下部電極と、上部電極１３と、偏光板１４とを含む。偏光板１４は、絶縁性基板１２のＣＦ基板１と逆側の主面上に配設されている。
【００１８】
図１及び図２に示すように、上部電極１３は、ＢＭ３の開口３ａごとに複数のスリット１５を有している。上記下部電極は、上部電極１３よりも絶縁性基板１２側に配設されており、上部電極１３の下方に配設されている。ＦＦＳ方式では、上記下部電極は、画素電極及び対向電極のうちの一方であり、上部電極１３は、画素電極及び対向電極のうちの他方である。なお、対向電極はコモン電極に相当する。また、下部電極は、その平面配置について図示を省略しているが、本実施の形態１においては前記のとおり開口３ａごとに設けられる複数のスリット１５の形成領域と、当該複数のスリット１５間の領域とを合わせた領域の少なくとも一部に配設されている。ただし、複数のスリット１５の配列両端の先端部分、特にＢＭ３の開口３ａより食み出した部分においては、下部電極を必ずしも設けなくともよい。
【００１９】
ＦＦＳ方式では、図示しない上記ＴＦＴの制御によって、絶縁性基板１２のＣＦ基板１側の主面上に配設された下部電極及び上部電極１３の間に、液晶層２１の面内を面内方向に進むフリンジ電界を形成する。このフリンジ電界は、液晶層２１に含まれる液晶を駆動し、当該液晶のダイレクタの向きを変更する。ＦＦＳ方式では、ノーマリーブラックであるため、液晶層２１のうちフリンジ電界が液晶を駆動する領域は、ＴＦＴ基板１１に入射された光がＣＦ基板１から出射される透過領域に相当する。
【００２０】
以下の説明では、液晶層２１のうち、上部電極１３と下部電極との間に生ずるフリンジ電界によって駆動されて光を透過可能な領域を「駆動領域２１ａ」と記すこともある。また以下の説明では、液晶層２１のうち、フリンジ電界によって駆動されにくく、駆動領域２１ａよりも透過しにくい領域を「非駆動領域２１ｂ」と記すこともある。
【００２１】
なお、非駆動領域２１ｂのうち駆動領域２１ａ周辺の領域（以下「駆動周辺領域」と記すこともある）を通過して偏光板６に達した光は、偏光板６によって多少吸収されるが、偏光板６を多少通過する。一方、非駆動領域２１ｂのうち駆動領域２１ａから比較的遠い領域を通過して偏光板６に達した光は、偏光板６によって概ね吸収されて遮断される。
【００２２】
さて本実施の形態１では、光の利用効率の向上のため、赤色の色材４Ｒが設けられた赤色画素、及び、緑色の色材４Ｇが設けられた緑色画素においては、ＢＭ３の開口３ａの領域は駆動領域２１ａとほぼ同じとなっている。つまり図２のように、赤色画素及び緑色画素においては、ＢＭ３の開口３ａの端は、パネル正面方向（パネルの厚さ方向、図２の上下方向）から見て駆動領域２１ａの端とほぼ同じ位置となっている。
【００２３】
本実施の形態１においては、下部電極の平面配置として、基本的にはスリット１５の形成領域と、当該複数のスリット１５間の領域とを合わせた領域に配設されている。このため、各スリット１５を横切る断面において、全てのスリット１５の形成領域の下方に当該下部電極が配置される。従って、駆動領域２１ａの端は、液晶層２１の厚み、液晶駆動電圧、及び、上部電極１３のスリット１５の形状等によって多少の変化はあるが、複数のスリット１５のうち最外側のスリットである最外側スリット１５ａから外側に数μｍ程度寄せた位置にある。このため、最外側スリット１５ａは、駆動領域２１ａの端とすべき位置から駆動領域２１ａの内側に寄せた位置に設計される。
【００２４】
上述の赤色画素及び緑色画素と異なり、青色の色材４Ｂが設けられた青色画素においては、ＢＭ３の開口３ａの領域は駆動領域２１ａよりも小さくなっている。つまり図２のように、青色画素においては、ＢＭ３の開口３ａの端は、パネル正面方向から見て駆動領域２１ａの端から駆動領域２１ａの内側に寄せた位置となっている。
【００２５】
ここで、最外側スリット１５ａと、複数のスリット１５に対応する開口３ａの端との間の第２距離を「端距離」とする。この端距離を用いて、以上の構成を換言すれば、青色の色材４Ｂに対応する端距離Ｄ１は、赤色の色材４Ｒ及び緑色の色材４Ｇのそれぞれに対応する端距離Ｄ２と異なっている。そして本実施の形態１では、この構成を実現するために、青色の色材４Ｂが配設された開口３ａの上記端と当該端と対向する端との間の幅Ｗ１は、赤色の色材４Ｒ及び緑色の色材４Ｇのそれぞれが配設された開口３ａの上記端と当該端と対向する端との間の幅Ｗ２よりも狭くなっている。これにより、青色の色材４Ｂに対応する端距離Ｄ１は、赤色の色材４Ｒ及び緑色の色材４Ｇのそれぞれに対応する端距離Ｄ２よりも短くなっている。この結果、青色の色材４Ｂに対応する第１距離は、赤色の色材４Ｒ及び緑色の色材４Ｇのそれぞれに対応する第１距離と異なっている。ここで、第１距離とは、上部電極１３と下部電極との間に生ずる電界によって液晶層２１内の液晶が駆動される駆動領域２１ａの端と、当該上部電極１３の複数のスリット１５に対応する開口３ａの端との間の距離である。
【００２６】
図３は、本実施の形態１に係る液晶表示装置を通過する光を示す図である。
【００２７】
＜パネル正面方向に進む光＞
矢印３０Ｇ，３１Ｇに示すように、緑色画素においてパネル正面方向に進む光の一部は、ＢＭ３によって遮断され、残部は、ＢＭ３の開口３ａと偏光板６とを通過する。このことは、赤色画素においても同様であり、矢印３５Ｂ，３６Ｂに示すように青色画素においても同様である。
【００２８】
以上のように、パネル正面方向に進む光がパネルから受ける作用は、赤色画素、緑色画素及び青色画素のいずれにおいても概ね同じである。このため、光がパネル通過時に低減される度合を「低減度合」とした場合、パネル正面方向に進む光の低減度合は、赤色画素、緑色画素及び青色画素のいずれにおいても概ね同じとなっている。
【００２９】
＜斜め方向に進む光＞
次に、パネル正面方向に対し斜め方向に進む光について説明する。なお、以下では、パネル正面方向に対し右斜め方向に進む光について説明する。パネル正面方向に対し左斜め方向に進む光については、以下の説明において左右を入れ替えたものと同様である。
【００３０】
矢印３２Ｇに示すように、緑色画素の右側部分において右斜め方向に進む光の一部は、ＢＭ３によって遮断され、残部は、ＢＭ３の開口３ａと偏光板６とを通過する。このことは、赤色画素の右側部分においても同様であり、矢印３７Ｂに示すように青色画素の右側部分においても同様である。
【００３１】
緑色画素の左側部分において右斜め方向に進む光は、駆動領域２１ａを通過した光（矢印３３Ｇ）と、上述の駆動周辺領域を通過した光（矢印３４Ｇ）とを含んでいる。このうち、駆動周辺領域を通過した光（矢印３４Ｇ）は、偏光板６に達すると、偏光板６を多少通過するが、偏光板６によって多少吸収される。このため、緑色画素の左側部分において右斜め方向に進む光の一部は、ＢＭ３によって遮断され、残部は、ＢＭ３の開口３ａを通過した後に偏光板６によって多少吸収される。このことは、赤色画素の左側部分においても同様である。
【００３２】
一方、青色画素の左側部分において右斜め方向に進む光は、実質的には駆動領域２１ａを通過した光（矢印３８Ｂ，３９Ｂ）だけである。このため、青色画素の左側部分においてＢＭ３の開口３ａを通過して右斜め方向に進む光の一部は、ＢＭ３によって遮断されるが、残部は、実質的に偏光板６によって吸収されない。
【００３３】
以上の結果、赤色画素及び緑色画素の開口３ａから斜め方向に進む光のうち、駆動周辺領域を通過した光は偏光板６によって低減されるが、青色画素の開口３ａから斜め方向に進む光は実質的に偏光板６によって低減されない。このため、斜め方向に進む光に関して、赤色画素の低減度合及び緑色画素の低減度合は、青色画素の低減度合よりも大きくなっている。
【００３４】
＜実施の形態１のまとめ＞
以上のように構成された本実施の形態１に係る液晶表示装置では、青色の色材４Ｂに対応する第１距離が、赤色の色材４Ｒ及び緑色の色材４Ｇのそれぞれに対応する第１距離と異なるように、青色の色材４Ｂに対応する端距離Ｄ１が、赤色の色材４Ｒ及び緑色の色材４Ｇのそれぞれに対応する端距離Ｄ２と異なるように構成されている。本実施の形態１では、この構成を実現するために、青色の色材４Ｂが配設された開口３ａの両端同士の間の幅Ｗ１（図２）は、赤色の色材４Ｒ及び緑色の色材４Ｇのそれぞれが配設された開口３ａの両端同士の間の幅Ｗ２よりも狭くなっている。
【００３５】
このような構成によれば、青色画素において斜め方向に進む光の低減を、赤色画素及び緑色画素において斜め方向に進む光の低減よりも小さくすることができる。したがって、白表示を斜め方向から液晶表示装置の表示を見た場合に、赤色画素及び緑色画素に対して青色画素の輝度低下が小さくなるため、相対的に青色が強まることで青色に色づかせる作用、つまりブルーシフトが得られる。このブルーシフトが得られることによって、イエローシフトを白色に補正することができる。また、製造時のマスクなどの変更によって本実施の形態１に係る液晶表示装置を実現することができるので、イエローシフトの補正に伴うコスト上昇の抑制化も期待できる。
【００３６】
＜実施の形態１の変形例＞
以上の説明では、青色の色材４Ｂに対応する端距離Ｄ１（図２）は、赤色の色材４Ｒ及び緑色の色材４Ｇのそれぞれに対応する端距離Ｄ２よりも短くなるように構成されていた。そして、この構成を実現するために、青色の色材４Ｂが配設された開口３ａの両端同士の間の幅Ｗ１（図２）は、赤色の色材４Ｒ及び緑色の色材４Ｇのそれぞれが配設された開口３ａの両端同士の間の幅Ｗ２よりも狭くなっていた。
【００３７】
しかしこれに限ったものではなく、青色の色材４Ｂにおける複数のスリット１５の形状及び本数のうちの少なくともいずれか１つが、赤色の色材４Ｒ及び緑色の色材４Ｇのそれぞれにおける複数のスリット１５の形状及び本数のうちの上記少なくともいずれか１つと異なるように構成されてもよい。なお、ここでいうスリット１５の形状は、スリット１５の線幅及び線間、並びに、角度を含む。
【００３８】
このような構成によれば、青色の色材４Ｂにおける幅が、赤色の色材４Ｒ及び緑色の色材４Ｇのそれぞれにおける幅と同じであっても、青色の色材４Ｂに対応する端距離Ｄ１が、赤色の色材４Ｒ及び緑色の色材４Ｇのそれぞれに対応する端距離Ｄ２と異なるように構成することができる。
【００３９】
なお、図３に示すように、ＢＭ３または偏光板６は光を遮断するが、非駆動領域２１ｂが光を遮断するわけではない。そこで、赤色画素及び緑色画素のそれぞれの両端に位置する非駆動領域２１ｂに、非透過膜を設けることによって、図３の例えば矢印３３Ｇと矢印３４Ｇとの間の光を遮断してもよい。
【００４０】
また、実施の形態１では、赤色に対応する端距離Ｄ２と緑色に対応する端距離Ｄ２とは同じであったが、赤色に対応する端距離と緑色に対応する端距離とは互いに異なっていてもよい。
【００４１】
＜実施の形態２＞
図４は、本発明の実施の形態２に係る液晶表示装置の構成を模式的に示す平面図であり、図５は、図４のＡ−Ａ’線に沿った断面構成を模式的に示す断面図である。以下、本実施の形態２で説明する構成要素のうち、上述の構成要素と同じまたは類似する構成要素については同じ参照符号を付し、異なる構成要素について主に説明する。
【００４２】
本実施の形態２では実施の形態１と同様に、青色の色材４Ｂに対応する第１距離が、赤色の色材４Ｒ及び緑色の色材４Ｇのそれぞれに対応する第１距離と異なるように、青色の色材４Ｂに対応する端距離Ｄ１が、赤色の色材４Ｒ及び緑色の色材４Ｇのそれぞれに対応する端距離Ｄ２と異なるように構成されている。ただし本実施の形態２では、この構成を実現するために、青色の色材４Ｂが配設された開口３ａの上記端と当該端と対向する端との間の幅Ｗ１は、赤色の色材４Ｒ及び緑色の色材４Ｇのそれぞれが配設された開口３ａの上記端と当該端と対向する端との間の幅Ｗ２よりも広くなっている。これにより、これにより、青色の色材４Ｂに対応する端距離Ｄ１は、赤色の色材４Ｒ及び緑色の色材４Ｇのそれぞれに対応する端距離Ｄ２よりも長くなっている。
【００４３】
図６は、本実施の形態２に係る液晶表示装置を通過する光を示す図である。
【００４４】
＜パネル正面方向に進む光＞
矢印４０Ｇ，４１Ｇに示すように、緑色画素においてパネル正面方向に進む光の一部は、非駆動領域２１ｂによって遮断され、残部は、駆動領域２１ａと偏光板６とを通過する。このことは、赤色画素においても同様であり、矢印４６Ｂ，４７Ｂに示すように青色画素においても同様である。
【００４５】
以上のように、パネル正面方向に進む光がパネルから受ける作用は、赤色画素、緑色画素及び青色画素のいずれにおいても概ね同じである。このため、パネル正面方向に進む光に関して、赤色画素の低減度合、緑色画素の低減度合、青色画素の低減度合は概ね同じである。
【００４６】
＜斜め方向に進む光＞
次に、パネル正面方向に対し斜め方向に進む光について説明する。なお、以下では、パネル正面方向に対し右斜め方向に進む光について説明する。パネル正面方向に対し左斜め方向に進む光については、以下の説明において左右を入れ替えたものと同様である。
【００４７】
緑色画素の左側部分において右斜め方向に進む光（矢印４４Ｇ，４５Ｇ）のうち、駆動周辺領域を通過した光（矢印４５Ｇ）は、偏光板６を多少通過するが、偏光板６によって多少吸収される。このことは、赤色画素の左側部分においても同様であり、矢印５０Ｂ，５１Ｂに示すように青色画素の左側部分においても同様である。
【００４８】
緑色画素の右側部分において右斜め方向に進む光は、駆動領域２１ａを通過した光（矢印４３Ｇ）と、駆動周辺領域を通過した光（矢印４２Ｇ）とを含んでいる。このうち、緑色画素の右側部分において駆動周辺領域を通過した光（矢印４２Ｇ）が偏光板６に達するのであれば、偏光板６を多少通過することになる。しかしながら、この光（４２Ｇ）は偏光板６に達する前にＢＭ３によって遮断される。このことは、赤色画素の右側部分においても同様である。
【００４９】
一方、青色画素の右側部分において右斜め方向に進む光は、駆動領域２１ａを通過した光（矢印４９Ｂ）と、駆動周辺領域を通過した光（矢印４８Ｂ）とを含んでいる。このうち、青色画素の右側部分において駆動周辺領域を通過した光（矢印４８Ｂ）は、ＢＭ３によって遮断されずに偏光板６に達し、偏光板６を多少通過する。
【００５０】
以上の結果、赤色画素及び緑色画素において斜め方向に進む光のうち、駆動周辺領域を通過した光はＢＭ３によって遮断されるが、青色画素において斜め方向に進む光ではこのような遮断が生じない。このため、斜め方向に進む光に関して、赤色画素の低減度合及び緑色画素の低減度合は、青色画素の低減度合よりも大きくなっている。
【００５１】
＜実施の形態２のまとめ＞
以上のように構成された本実施の形態２に係る液晶表示装置では、青色の色材４Ｂに対応する端距離Ｄ１は、赤色の色材４Ｒ及び緑色の色材４Ｇのそれぞれに対応する端距離Ｄ２と異なる。本実施の形態２では、この構成を実現するために、青色の色材４Ｂが配設された開口３ａの両端同士の間の幅Ｗ１（図５）は、赤色の色材４Ｒ及び緑色の色材４Ｇのそれぞれが配設された開口３ａの両端同士の間の幅Ｗ２よりも広くなっている。
【００５２】
このような構成によれば、青色画素において斜め方向に進む光の低減を、赤色画素及び緑色画素において斜め方向に進む光の低減よりも小さくすることができる。したがって、実施の形態１と同様に、ブルーシフトが得られることによって、イエローシフトを白色に補正することができる。また、製造時のマスクなどの変更によって本実施の形態１に係る液晶表示装置を実現することができるので、イエローシフトの補正に伴うコスト上昇の抑制化も期待できる。
【００５３】
＜実施の形態２の変形例＞
実施の形態２においても実施の形態１の変形例と同様に、青色の色材４Ｂにおける複数のスリット１５の形状及び本数のうちの少なくともいずれか１つが、赤色の色材４Ｒ及び緑色の色材４Ｇのそれぞれにおける複数のスリット１５の形状及び本数のうちの上記少なくともいずれか１つと異なるように構成されてもよい。このような構成によれば、青色の色材４Ｂにおける幅が、赤色の色材４Ｒ及び緑色の色材４Ｇのそれぞれにおける幅と同じであっても、青色の色材４Ｂに対応する端距離Ｄ１が、赤色の色材４Ｒ及び緑色の色材４Ｇのそれぞれに対応する端距離Ｄ２と異なるように構成することができる。
【００５４】
また、実施の形態２においても実施の形態１の変形例と同様に、赤色画素及び緑色画素のそれぞれの両端に位置する非駆動領域２１ｂのうち、実施の形態２の作用に影響しない領域に、非透過膜を設けることによって光を遮断してもよい。
【００５５】
また、実施の形態２では、赤色に対応する端距離Ｄ２と緑色に対応する端距離Ｄ２とは同じであったが、赤色に対応する端距離と緑色に対応する端距離とは互いに異なっていてもよい。
【００５６】
＜実施の形態３＞
図７は、図２と同様に、本発明の実施の形態３に係る液晶表示装置の断面構成を模式的に示す断面図である。また、この図７には、図３と同様に、本実施の形態３に係る液晶表示装置を通過する光が示されている。以下、本実施の形態３で説明する構成要素のうち、上述の構成要素と同じまたは類似する構成要素については同じ参照符号を付し、異なる構成要素について主に説明する。
【００５７】
本実施の形態３では、実施の形態１の構成においてＯＣ層５の厚さが変更されている。具体的には、本実施の形態３のＯＣ層５の厚さは、実施の形態１のＯＣ層５の厚さ（図７の二点鎖線）よりも厚くし、２μｍ以上としている。なお、ＯＣ層５をスピンコート法などの公知の形成方法で塗布形成する際に、実用上において許容範囲となる膜厚分布が得られるようにするために、ＯＣ層５の厚さは、５μｍ以下程度であることが望ましい。ここでは一例として、ＯＣ層５の厚さを２．５μｍ程度に設定した。
【００５８】
図７に示すように、ＢＭ３の開口３ａの端を通過する光に関して、正面方向に進む光（矢印３１Ｇ）がＴＦＴ基板１１の上面を通過する場所と、斜め方向に進む光（矢印３４Ｇ）がＴＦＴ基板１１の上面を通過する場所とは異なる。これらの場所の間の距離である斜めロス幅Ｄ３は、斜め方向に進む光（矢印３４Ｇ）の斜め方向に依存するだけでなく、色材、ＯＣ層５、図示しない配向膜、液晶層２１のそれぞれの厚さ及び屈折率にも依存する。
【００５９】
ここで、白色におけるブルーシフトの量（程度）が、開口３ａに対する斜めロス幅Ｄ３の割合に依存することは、実施の形態１の説明から明らかである。このため、斜めロス幅Ｄ３を大きくすれば、ブルーシフトを高めることができる。
【００６０】
このことに鑑みて本実施の形態３に係る液晶表示装置では、ＯＣ層５の厚さを２μｍ以上に厚膜化したことにより、斜めロス幅Ｄ３を比較的大きくしている。このため、斜めロス幅Ｄ３を大きくすることができ、その結果として、イエローシフトを白色に補正することを高めることができる。また、ＯＣ層５の厚膜化は、特別な工程を行わなくても可能であるため、上記に伴うコスト上昇の抑制化も期待できる。
【００６１】
なお、以上では、実施の形態１の液晶表示装置に、ＯＣ層５の厚膜化を適用した例について説明したが、ＯＣ層５の厚膜化を実施の形態２の液晶表示装置に適用しても上記と同様の効果を得ることができる。
【００６２】
＜その他の変形例＞
以上で説明した実施の形態１から実施の形態３及びそれらの変形例のように、全てのスリット１５の形成領域全体に下部電極を配設された構成では、駆動領域２１ａの端は、最外側スリット１５ａの外側の端に対応する。そこで、当該最外側スリット１５ａの端を基準として、青色の色材４Ｂに対応する端距離Ｄ１と赤色の色材４Ｒ及び緑色の色材４Ｇのそれぞれに対応する端距離Ｄ２との関係を設定した。しかしながら、下部電極が全てのスリット１５の形成領域全体に配設されない構成では、駆動領域２１ａの端は、最外側スリット１５ａの外側の端に対応しない。
【００６３】
例えば、下部電極の形成領域の端が最外側スリット１５ａの端よりも内側である構成では、駆動領域２１ａの端は、下部電極の端に対応する。そこでこのような構成では、下部電極の端であって複数のスリット１５の最外側のスリット側の端と、複数のスリット１５に対応する開口３ａの端との間の第３距離に関して、青色の色材４Ｂに対応する第３距離が、赤色の色材４Ｒ及び緑色の色材４Ｇのそれぞれに対応する第３距離と異なるように構成されればよい。つまり、実施の形態１から実施の形態３及びそれらの変形例において、端距離Ｄ１，Ｄ２を、下部電極の端と開口３ａの端との間の第３距離に置き換えれば、各実施の形態で得られる基本的な効果と同様の効果を得ることができる。
【００６４】
また、以上で説明した実施の形態１から実施の形態３及びそれらの変形例においては、ＢＭ３の開口３ａごとに設けられる複数のスリット１５の延在方向が、互いに異なる色の色材間に設けられるＢＭ３の延在方向に沿った構成において、ＢＭ３の開口３ａの端の位置を色ごとに異ならせることを、前記互いに異なる色の色材間に設けられるＢＭ３の端に適用した構成について説明した。つまり、最外側スリット１５ａの基準にして、ＢＭ３の開口３ａの端の位置を、上記構成となるように調節した。
【００６５】
しかしながら、基本的には、複数のスリット１５と下部電極とによって形成される駆動領域２１ａの端の位置とＢＭ３の開口３ａの端の位置との位置関係を色ごとに異ならせることができればよい。このため、複数のスリット１５の両端の先端部分の近傍に形成される駆動領域２１ａの端を基準にして、複数のスリット１５の両端の先端部分の近傍に位置するＢＭ３の開口３ａの端の位置を、上記構成となるように調節してもよい。また、ＢＭ３の開口３ａの端の位置の調整に際して、最外側スリット１５ａを必ずしも基準にしなくてもよいことを踏まえると、ＢＭ３の開口３ａの端の位置を色ごとに異ならせることを、同じ色の色材間に設けられるＢＭ３の端に適用してもよい。つまり、複数のスリット１５の配置や形状自体に捕らわれることなく、複数のスリット１５及び下部電極により形成される駆動領域２１ａの端の位置に応じて、適宜、ＢＭ３の開口３ａの端の位置を決定すればよい。
【００６６】
なお、本発明は、その発明の範囲内において、各実施の形態及び各変形例を自由に組み合わせたり、各実施の形態及び各変形例を適宜、変形、省略したりすることが可能である。
【符号の説明】
【００６７】
１  ＣＦ基板、３  ＢＭ、３ａ  開口、４Ｒ，４Ｇ，４Ｂ  色材、５  ＯＣ層、１１  ＴＦＴ基板、１３  上部電極、１５  スリット、１５ａ  最外側スリット、２１  液晶層、Ｄ１，Ｄ２  端距離、Ｗ１，Ｗ２  幅。
【図１】
2018205587.tif 000003
【図２】
2018205587.tif 000004
【図３】
2018205587.tif 000005
【図４】
2018205587.tif 000006
【図５】
2018205587.tif 000007
【図６】
2018205587.tif 000008
【図７】
2018205587.tif 000009